(57)【要約】【課題】    窓の内側に取り付けたり、間仕切り又は室内ドアーとして利用し、採光、通風、視界を自由に調節出来る建具を提供する。【解決手段】  縦枠内に縦列させた状態で先端部が数ミリ互いに重なり合うように適度数枚の羽根板を配列し、一枚一枚の羽根板長尺方向両端中心部を支点とし回動する支点軸を設け、回動開閉可能にし、各羽根板が同時に回動開閉できるように自在に作動するジョイント部品で連結した一本の縦バーを介在する。各羽根板の回動支点軸は羽根板が単独では回動せず、手で少し固めに動く程度に圧入してある。縦バーを上又は下に作動させる事で各羽根板は同時に同方向に回動し羽根板一枚一枚の先端が重なり合った状態から円弧状に回動することで開口部が生じてくる。縦バーの作動量に追随して開口部が羽根板それぞれ同間隔でをもって開閉作動し任意の位置で止める事で開口部間隔を自由に調節する事が可能であり、採光、通風、視界を任意に調節できることを特徴する。【選択図】    図１
2006322291.tif 000002
【特許請求の範囲】
【請求項１】
上下左右を枠体とし、その開口部に薄板帯状の羽根板を適度枚数縦列させた状態で、各先端部が数ミリ重なり合うよう配列し、一枚一枚の羽根板長尺方向両端中心部を支点として、羽根板が手で少し固く回転できる程度に回動する支点軸を設け、さらに各羽根板が同時に回動開閉できるように、各羽根板の上下方向一端に自在に作動するジョイント部品で連結した一本の縦バーを介在する。
縦バーを上下に作動することで各羽根板が円弧状に同時に同方向に回動し、縦バーの作動量に追随して一枚一枚の羽根板が同間隔をもって開閉作動し、任意の位置で止める事で開口部間隔を自由に調節出来ることを特徴とした建具。
【発明の詳細な説明】
【技術分野】
【０００１】  本発明は、窓の室内側に設けて採光と通風と視界を自由に調節したり、本体ごと開け閉めしなくても通風調節可能な間仕切り用建具又は室内ドアーとしても利用出来る建具に関するものである。
【背景技術】
【０００２】  従来、窓の一部として外壁に取り付け、通風を目的としたルーバー窓、外からの視線を遮るカーテン、採光調節と外からの視線を遮るためのブラインド、間仕切り用として障子、ふすま、ついたて等の製品が使用されている。【０００３】  ルーバー窓は台所、風呂場等の湿気のあるの外壁に取り付け、室内の風通しを良くするために小さな窓の一部として使用されているが、硝子、アルミ製がほとんどであり、構造も複雑で建具として室内に取り付けるには不向きである。【０００４】  カーテンは外からの視線と直射日光を遮ることが目的であり通風、採光を調節出来るものではない。【０００５】  ブラインドは、外からの視線を遮ると共に採光も調節できるが通風を目的として使用するものではない。【０００６】  間仕切りに使用されてい障子、ふすま、ついたて等もいろいろ種類はあるが、採光と通風と視界を自由に調節できるものはなかった。【０００７】  なお、本発明に関連する公知技術として次の特許文献を挙げることができる。【０００８】
【特許文献１】  特許公開平１０−１４０９４１
【発明の開示】
【発明が解決しようとする課題】
【０００９】  上述の如く、窓の室内側に取り付けるカーテン、ブラインド、又は、間仕切り等、室内ドアーとして利用する建具に於いて、採光、通風、視界を自由に調節可能にするものはなかった。【００１０】  本発明はこのような点に鑑みてなされたものであり、窓の内側に取り付けたり、間仕切り又は室内ドアーとして利用し、採光、通風、視界を自由に調節出来る建具を提供する。
【課題を解決するための手段】
【００１１】  上述の目的を達成する本発明の建具は、数枚の帯状板適度長さのある羽根板になる形状対を縦枠内に縦列させた状態で、各先端部が数ミリ互いに重なり合うように配列し、一枚一枚の羽根板長尺方向両端中心部を支点とし回動する支点軸を設け回動開閉可能にし、各羽根板の一端部に各羽根が同時に回動開閉できるように自在に作動するジョイント部品で連結した一本の縦バーを介在する。
各羽根板の回動支点軸は羽根板が単独では回動せず、手で少し固めに動く程度に圧入してある。
適度枚数を縦列した縦枠上下は横枠で固定し外周を枠体とする。【００１２】縦バーを上又は下に作動させる事で各羽根板は同時に同方向に回動し、羽根板一枚一枚の先端が重なり合った状態から円弧状に回動することで開口部が生じてくる。
縦バーの作動量に追随して開口部が羽根板それぞれ同間隔でをもって開閉作動し任意の位置で止める事で開口部間隔を自由に調節する事が可能であり、採光、通風、視界を任意に調節できることを特徴する。
【発明の効果】
【００１３】
【００１４】  以上説明したように本発明によれば、開口部を閉じた状態から開く隙間を任意に調節できることで、従来から使用されているカーテン、ブラインド、間仕切り、それぞれが持つ特徴、使用目的を一つの仕様にすることができる。
具体的に述べると、外からの視線と直射日光を遮るカーテン、視界と採光を調節するブラインド、各部屋の視界を遮る間仕切り、障子、ふすま等、全ての特徴を本発明の建具一つで満たす事ができるものである。
又材質を木製にする事で、視覚効果、森林浴効果をもたらし、カーテン、ブラインド等に比べ断熱効果、防音効果にきわめて有効である。
【発明を実施するための最良の形態】
【００１５】  以下、本発明の実施の形態を図面に基づき詳細に説明する。【００１６】  図１，図２に示すように適時箇所に軸受け８を圧入した左右の縦枠１，２に適度数枚の羽根板３の各先端４が数ミリ互いに重なり合うように縦列させ、羽根板３の長尺方向両端中心部に支点軸５を圧入する。
支点軸５は中心にフランジ部６がありその両端に先細状のテーパー軸部７を突出させた形状とし、羽根板３に圧入した反対側のテーパー軸部７は左右の縦枠１，２の内側に圧入した軸受け８に挿入する。
テーパー軸部７と軸受け８とのはめあい精度は、羽根板３が手で少し固めに動く程度とする。【００１７】  それぞれの羽根板３を同時に回動開閉させる手段として、自在に作動するジョイント部品１０でそれぞれの羽根板３と連結した一本の縦バー９を設ける。
縦枠１，２の上下を横枠１１，１２で固定する。【００１８】  作動を図示上で説明すると、図１の閉状態から縦バー９を手で引き下げる操作をすることでジョイント部品１０によって、それぞれの羽根板３が支点軸５を中心として回転運動をし、上部方向から徐々に開口部が広がり図５の状態となりながら、羽根板３が水平位置で最大開口部となる。【００１９】更に縦バー９を下げると開口部が徐々に狭まりながら下向き方向の開口部が出来図６の状態で最上部と最下部の羽根板３が上下の横枠１１，１２に当接し止まる。
【実施例】
【００２０】  本発明は上述の構成と動作が出来るものであり図７、図８に示す様に片側縦枠２に蝶番を取り付けることで開き窓、開きドアー、２個左右に並べる事で両開き窓、両開きドアーとなり、その他上下にレール、戸車を付ける事で引き窓、引き戸、間仕切り等に利用出来、しかも採光と通風と視界の調節が出来る事で多目的に利用出来る建具である。
【図面の簡単な説明】
【００２１】
【図１】  本発明の図３Ａ−Ａ線断面図
【図２】  本発明の軸受け部を示す要部斜視図
【図３】  本発明の正面図
【図４】  本発明の軸受け部を示す要部断面図
【図５】  本発明の作動状態を示す断面図
【図６】  本発明の作動状態を示す断面図
【図７】  本発明の実施例を示す参考斜視図
【図８】  本発明の実施例を示す参考斜視図
【符号の説明】
【００２２】  １、２    縦枠
３        羽根板
５        支点軸
６        フランジ部
７        テーパー軸部
８        軸受け
９        縦バー
１０        ジョイント部品
１１、１２  横枠
【図１】
2006322291.tif 000003
【図２】
2006322291.tif 000004
【図３】
2006322291.tif 000005
【図４】
2006322291.tif 000006
【図５】
2006322291.tif 000007
【図６】
2006322291.tif 000008
【図７】
2006322291.tif 000009
【図８】
2006322291.tif 000010